(57)【要約】【課題】  スミアを十分に低減させる。【解決手段】  ゲート信号ＴＧのシフトパルスによって、受光素子で発生した電荷を転送レジスタにシフトする（ｔ０＜ｔ＜ｔ１）。その後、転送レジスタに駆動パルス信号Φ１、Φ２、Φ１Ｌを印加し、転送レジスタにおいて電荷を出力部に向けて転送する（ｔ１＜ｔ＜ｔ８）。このとき、出力部は、転送レジスタから転送された電荷量に応じた信号レベルを有する出力信号を出力する。補正値導出部は、ハロゲンランプが写真フィルムに光を照射しているときに、出力部から出力される出力信号のうち、画素部分に後続する期間Ａの出力信号レベルに基づいて、出力信号の補正値を導出する。【選択図】        図４
2006086577.tif 000002
【特許請求の範囲】
【請求項１】
読取原稿に光を照射する光源と、
前記読取原稿からの反射光又は透過光を受光して受光量に応じた量の電荷を発生する一方向に配列された複数の受光素子、前記受光素子で発生した電荷を前記一方向と平行に転送する転送レジスタ、及び、前記転送レジスタから転送された電荷量に応じた信号レベルを有する出力信号を出力する出力部を有する固体撮像素子と、
前記複数の受光素子で発生した電荷を各受光素子から同時に前記転送レジスタにシフトさせるシフトパルスを含むゲート信号を生成するゲート信号生成手段と、
シフトパルスによって前記受光素子から前記転送レジスタにシフトさせられた電荷が前記転送レジスタにおいて前記出力部に向けて転送されると共に、当該シフトパルスによって前記受光素子から前記転送レジスタにシフトさせられた電荷がすべて前記出力部に達してから次のシフトパルスによって前記受光素子から前記転送レジスタに電荷がシフトさせられるまでの間の少なくとも一部の期間に前記転送レジスタにおいて電荷が前記出力部に向けて転送されるように、前記転送レジスタに印加される互いに位相の異なる複数の駆動パルス信号を生成する駆動パルス信号生成手段と、
前記光源が前記読取原稿に光を照射しているときに前記出力部から出力される出力信号においてシフトパルスによって前記受光素子から前記転送レジスタにシフトさせられた電荷に対応した画素部分に先行又は後続する非画素部分の信号レベルに基づいて、出力信号の補正値を導出する補正値導出手段と、
前記光源が前記読取原稿に光を照射しているときに前記出力部から出力される出力信号において前記画素部分のうち有効画素に係る有効部分の信号レベルから、前記補正値導出手段が導出した補正値を減算する補正手段とを備えていることを特徴とする画像読取装置。
【請求項２】
出力信号の信号レベルを調整する調整値を記憶する調整値記憶手段と、
前記非画素部分の信号レベルが規定値となるように前記調整値記憶手段に記憶された調整値を書き換える調整値変更手段とをさらに備えていることを特徴とする請求項１に記載の画像読取装置。
【請求項３】
前記補正値導出手段が、前記非画素部分の信号レベルから基準値を減算する基準値減算手段を有していることを特徴とする請求項１又は２に記載の画像読取装置。
【請求項４】
前記補正値導出手段が、１つの前記非画素部分内における信号レベルの平均値を導出する第１の平均値導出手段を有していることを特徴とする請求項１〜３のいずれか１項に記載の画像読取装置。
【請求項５】
前記補正値導出手段が、連続した複数のシフトパルスに係る複数の前記非画素部分の信号レベルの平均値を導出する第２の平均値導出手段を有していることを特徴とする請求項１〜４のいずれか１項に記載の画像読取装置。
【請求項６】
前記固体撮像素子に複数の前記転送レジスタが含まれており、
前記補正値導出手段が、複数の前記転送レジスタのそれぞれについて補正値を導出し、
前記補正手段が、前記有効部分の信号レベルから対応する補正値を減算することを特徴とする請求項１〜５のいずれか１項に記載の画像読取装置。
【請求項７】
前記非画素部分の信号レベルが所定範囲にあるか否かを監視する監視手段をさらに備えていることを特徴とする請求項１〜６のいずれか１項に記載の画像読取装置。
【請求項８】
読取原稿に光を照射する光源と、
前記読取原稿からの反射光又は透過光を受光して受光量に応じた量の電荷を発生する一方向に配列された複数の受光素子、前記受光素子で発生した電荷を前記一方向と平行に転送する転送レジスタ、及び、前記転送レジスタから転送された電荷量に応じた信号レベルを有する出力信号を出力する出力部を有する固体撮像素子と、
前記固体撮像素子とは別体として形成されており、前記複数の受光素子のうち有効画素となる少なくとも１つが前記読取原稿からの反射光又は透過光を受光しないように光を遮る遮光部材と、
前記複数の受光素子で発生した電荷を各受光素子から同時に前記転送レジスタにシフトさせるシフトパルスを含むゲート信号を生成するゲート信号生成手段と、
シフトパルスによって前記受光素子から前記転送レジスタにシフトさせられた電荷が前記転送レジスタにおいて前記出力部に向けて転送されるように、前記転送レジスタに印加される互いに位相の異なる複数の駆動パルス信号を生成する駆動パルス信号生成手段と、
前記光源が前記読取原稿に光を照射しているときに前記出力部から出力される出力信号においてシフトパルスによって前記受光素子から前記転送レジスタにシフトさせられた電荷に対応した画素部分のうち前記遮光部材で遮光された有効画素に係る遮光部分の信号レベルに基づいて、出力信号の補正値を導出する補正値導出手段と、
前記光源が前記読取原稿に光を照射しているときに前記出力部から出力される出力信号において前記画素部分のうち前記遮光部材で遮光されていない有効画素に係る有効部分の信号レベルから、前記補正値導出手段が導出した補正値を減算する補正手段とを備えていることを特徴とする画像読取装置。
【請求項９】
前記読取原稿に表示された画像を前記受光素子上に結像するレンズをさらに備えており、
前記遮光部材が、前記レンズに対して前記固体撮像素子とは反対側に配置されていることを特徴とする請求項８に記載の画像読取装置。
【請求項１０】
出力信号の信号レベルを調整する調整値を記憶する調整値記憶手段と、
前記遮光部分の信号レベルが規定値となるように前記調整値記憶手段に記憶された調整値を書き換える調整値変更手段とをさらに備えていることを特徴とする請求項８又は９に記載の画像読取装置。
【請求項１１】
前記補正値導出手段が、前記遮光部分の信号レベルから基準値を減算する基準値減算手段を有していることを特徴とする請求項８〜１０のいずれか１項に記載の画像読取装置。
【請求項１２】
前記補正値導出手段が、１つの前記遮光部分内における信号レベルの平均値を導出する第１の平均値導出手段を有していることを特徴とする請求項８〜１１のいずれか１項に記載の画像読取装置。
【請求項１３】
前記補正値導出手段が、連続した複数のシフトパルスに係る複数の前記遮光部分の信号レベルの平均値を導出する第２の平均値導出手段を有していることを特徴とする請求項８〜１２のいずれか１項に記載の画像読取装置。
【請求項１４】
前記固体撮像素子に複数の前記転送レジスタが含まれており、
前記補正値導出手段が、複数の前記転送レジスタのそれぞれについて補正値を導出し、
前記補正手段が、前記有効部分の信号レベルから対応する補正値を減算することを特徴とする請求項８〜１３のいずれか１項に記載の画像読取装置。
【請求項１５】
前記遮光部分の信号レベルが所定範囲にあるか否かを監視する監視手段をさらに備えていることを特徴とする請求項８〜１４のいずれか１項に記載の画像読取装置。
【発明の詳細な説明】
【技術分野】
【０００１】
本発明は、画像を光学的に読み取ってデジタル画像信号を出力する画像読取装置に関する。
【背景技術】
【０００２】
画像読取装置では、ハロゲンランプ、蛍光ランプ等の光源によって原稿に光を照射し、原稿からの反射光または透過光を固体撮像素子が受光する。そして、固体撮像素子によって読み取られた画像信号をデジタル信号に変換した後、シェーディング処理等を施す補正部に出力するように構成されている。
【０００３】
ここで、固体撮像素子の一例として、ＣＣＤラインセンサの構成について説明する。ＣＣＤラインセンサは、１列に配列された多数の光電変換受光素子（フォトセル）と、多数の受光素子に沿って設けられた転送レジスタとを有している。各受光素子は、受光量に応じた量の電荷を生成する。そして、各受光素子で生成された電荷はそこに蓄積されていく。所定の時間（電荷蓄積時間）が経過した後シフトパルスがＣＣＤラインセンサに供給されると、受光素子に蓄積された電荷は全て転送レジスタの対応する位置にシフトされる。転送レジスタにシフトされた電荷は、転送レジスタに印加される駆動パルス信号により、順次転送レジスタを転送されてゆき、出力端からシリアルな信号として出力される。
【０００４】
係るＣＣＤラインセンサにおいては、受光素子で生成された電荷または入射光の一部が転送部に漏れ込み、ノイズ電荷であるスミア電荷が発生することがある。そして、転送レジスタにおいて電荷が出力端まで転送されていく過程で、転送中の信号電荷にスミア電荷が加算され、出力される画像における、転送レジスタの転送経路に沿った位置に高輝度部分が帯状に広がるスミアと呼ばれる現象が発生する。
【０００５】
そこで、特許文献１には、受光素子がＣＣＤラインセンサ内に一体的に配置されたアルミ等の金属からなる遮光膜で覆われた光学的黒画素に対応した光源点灯時のセンサ出力値から光源消灯時のセンサ出力値を減算することによってスミア量を補正値として導出し、導出されたスミア量に基づいて、転送レジスタから出力された出力信号に対して補正処理を施す技術が開示されている。
【特許文献１】特開２０００−３５００３２号公報
【発明の開示】
【発明が解決しようとする課題】
【０００６】
光学的黒画素では、ＣＣＤラインセンサ内に一体的に配置された遮光膜によって遮光されているために、光学的黒画素の受光素子と遮光膜とから構成された容量素子に電荷が蓄積される。この電荷の蓄積量は温度によって変動するため、センサ出力値が温度変動の影響を受けてしまう。また、光学的黒画素には、遮光膜を通過して赤外光が入射することがあり、その場合、正確なスミア量を求めることができなくなる。よって、光学的黒画素に対応したセンサ出力値に基づいて導出されるスミア量を用いることによっては、正確な補正を行うことができず、スミアを十分に低減できない場合がある。
【０００７】
そこで、本発明の目的は、スミアを十分に低減することが可能な画像読取装置を提供することである。
【課題を解決するための手段及び効果】
【０００８】
本発明の画像読取装置は、読取原稿に光を照射する光源と、前記読取原稿からの反射光又は透過光を受光して受光量に応じた量の電荷を発生する一方向に配列された複数の受光素子、前記受光素子で発生した電荷を前記一方向と平行に転送する転送レジスタ、及び、前記転送レジスタから転送された電荷量に応じた信号レベルを有する出力信号を出力する出力部を有する固体撮像素子と、前記複数の受光素子で発生した電荷を各受光素子から同時に前記転送レジスタにシフトさせるシフトパルスを含むゲート信号を生成するゲート信号生成手段とを備えている。さらに、本発明においては、シフトパルスによって前記受光素子から前記転送レジスタにシフトさせられた電荷が前記転送レジスタにおいて前記出力部に向けて転送されると共に、当該シフトパルスによって前記受光素子から前記転送レジスタにシフトさせられた電荷がすべて前記出力部に達してから次のシフトパルスによって前記受光素子から前記転送レジスタに電荷がシフトさせられるまでの間の少なくとも一部の期間に前記転送レジスタにおいて電荷が前記出力部に向けて転送されるように、前記転送レジスタに印加される互いに位相の異なる複数の駆動パルス信号を生成する駆動パルス信号生成手段と、前記光源が前記読取原稿に光を照射しているときに前記出力部から出力される出力信号においてシフトパルスによって前記受光素子から前記転送レジスタにシフトさせられた電荷に対応した画素部分に先行又は後続する非画素部分の信号レベルに基づいて、出力信号の補正値を導出する補正値導出手段と、前記光源が前記読取原稿に光を照射しているときに前記出力部から出力される出力信号において前記画素部分のうち有効画素に係る有効部分の信号レベルから、前記補正値導出手段が導出した補正値を減算する補正手段とを備えている。
【０００９】
この構成によると、非画素部分の信号レベルに基づいて導出される補正値は、温度変動や赤外光入射に起因した光学的黒画素に特有のノイズとは無関係である。したがって、かかる補正値を用いて出力信号を補正することによって、スミアを十分に低減することが可能となる。また、非画素部分の信号レベルに基づいて導出される補正値は、転送レジスタにおける暗電流や回路系ドリフトなどのスミア以外のノイズ成分を組み入れたものとなっている。したがって、かかる補正値を用いて出力信号を補正することによって、スミア以外のノイズ成分をも十分に低減することが可能となる。
【００１０】
本発明の画像読取装置は、出力信号の信号レベルを調整する調整値を記憶する調整値記憶手段と、前記非画素部分の信号レベルが規定値となるように前記調整値記憶手段に記憶された調整値を書き換える調整値変更手段とをさらに備えていることが好ましい。この構成によると、受光素子における暗電流の影響をなくすことができる。
【００１１】
本発明の画像読取装置では、前記補正値導出手段が、前記非画素部分の信号レベルから基準値を減算する基準値減算手段を有していてもよい。この構成によると、温度変化や経時変化におけるオフセットレベルの変動も補正することができる。
【００１２】
本発明の画像読取装置は、前記補正値導出手段が、１つの前記非画素部分内における信号レベルの平均値を導出する第１の平均値導出手段を有していることが好ましい。この構成によると、補正値の精度が向上する。
【００１３】
本発明の画像読取装置は、前記補正値導出手段が、連続した複数のシフトパルスに係る複数の前記非画素部分の信号レベルの平均値を導出する第２の平均値導出手段を有していることが好ましい。この構成によると、補正値の精度がさらに向上する。
【００１４】
本発明の画像読取装置では、前記固体撮像素子に複数の前記転送レジスタが含まれており、前記補正値導出手段が、複数の前記転送レジスタのそれぞれについて補正値を導出し、前記補正手段が、前記有効部分の信号レベルから対応する補正値を減算してもよい。この構成によると、複数の転送レジスタから同じ出力信号が得られるようになる。
【００１５】
本発明の画像読取装置は、前記非画素部分の信号レベルが所定範囲にあるか否かを監視する監視手段をさらに備えていることが好ましい。この構成によると、光源オフや遮光部材の配置などによって受光素子が受光しないようにしなくとも、黒レベルを監視することができる。
【００１６】
別の観点において、本発明の画像読取装置は、読取原稿に光を照射する光源と、前記読取原稿からの反射光又は透過光を受光して受光量に応じた量の電荷を発生する一方向に配列された複数の受光素子、前記受光素子で発生した電荷を前記一方向と平行に転送する転送レジスタ、及び、前記転送レジスタから転送された電荷量に応じた信号レベルを有する出力信号を出力する出力部を有する固体撮像素子と、前記固体撮像素子とは別体として形成されており、前記複数の受光素子のうち有効画素となる少なくとも１つが前記読取原稿からの反射光又は透過光を受光しないように光を遮る遮光部材と、前記複数の受光素子で発生した電荷を各受光素子から同時に前記転送レジスタにシフトさせるシフトパルスを含むゲート信号を生成するゲート信号生成手段と、シフトパルスによって前記受光素子から前記転送レジスタにシフトさせられた電荷が前記転送レジスタにおいて前記出力部に向けて転送されるように、前記転送レジスタに印加される互いに位相の異なる複数の駆動パルス信号を生成する駆動パルス信号生成手段とを備えている。さらに、本発明においては、前記光源が前記読取原稿に光を照射しているときに前記出力部から出力される出力信号においてシフトパルスによって前記受光素子から前記転送レジスタにシフトさせられた電荷に対応した画素部分のうち前記遮光部材で遮光された有効画素に係る遮光部分の信号レベルに基づいて、出力信号の補正値を導出する補正値導出手段と、前記光源が前記読取原稿に光を照射しているときに前記出力部から出力される出力信号において前記画素部分のうち前記遮光部材で遮光されていない有効画素に係る有効部分の信号レベルから、前記補正値導出手段が導出した補正値を減算する補正手段とを備えている。
【００１７】
この構成によると、遮光部分の信号レベルに基づいて導出される補正値は、温度変動や赤外光入射に起因した光学的黒画素に特有のノイズとは無関係である。したがって、かかる補正値を用いて出力信号を補正することによって、スミアを十分に低減することが可能となる。また、遮光部分の信号レベルに基づいて導出される補正値は、転送レジスタにおける暗電流や回路系ドリフトなどのスミア以外のノイズ成分を組み入れたものとなっている。したがって、かかる補正値を用いて出力信号を補正することによって、スミア以外のノイズ成分をも十分に低減することが可能となる。
【００１８】
本発明の画像読取装置は、前記読取原稿に表示された画像を前記受光素子上に結像するレンズをさらに備えており、前記遮光部材が、前記レンズに対して前記固体撮像素子とは反対側に配置されていることが好ましい。この構成によると、レンズフレアの影響をなくすことができる。
【００１９】
本発明の画像読取装置は、出力信号の信号レベルを調整する調整値を記憶する調整値記憶手段と、前記遮光部分の信号レベルが規定値となるように前記調整値記憶手段に記憶された調整値を書き換える調整値変更手段とをさらに備えていることが好ましい。この構成によると、受光素子における暗電流の影響をなくすことができる。
【００２０】
本発明の画像読取装置では、前記補正値導出手段が、前記遮光部分の信号レベルから基準値を減算する基準値減算手段を有していてもよい。この構成によると、温度変化や経時変化におけるオフセットレベルの変動も補正することができる。
【００２１】
本発明の画像読取装置は、前記補正値導出手段が、１つの前記遮光部分内における信号レベルの平均値を導出する第１の平均値導出手段を有していることが好ましい。この構成によると、補正値の精度が向上する。
【００２２】
本発明の画像読取装置は、前記補正値導出手段が、連続した複数のシフトパルスに係る複数の前記遮光部分の信号レベルの平均値を導出する第２の平均値導出手段を有していることが好ましい。この構成によると、補正値の精度がさらに向上する。
【００２３】
本発明の画像読取装置では、前記固体撮像素子に複数の前記転送レジスタが含まれており、前記補正値導出手段が、複数の前記転送レジスタのそれぞれについて補正値を導出し、前記補正手段が、前記有効部分の信号レベルから対応する補正値を減算してもよい。この構成によると、複数の転送レジスタから同じ出力信号が得られるようになる。
【００２４】
本発明の画像読取装置は、前記遮光部分の信号レベルが所定範囲にあるか否かを監視する監視手段をさらに備えていることが好ましい。この構成によると、光源オフや遮光部材の配置などによって受光素子が受光しないようにしなくとも、黒レベルを監視することができる。
【発明を実施するための最良の形態】
【００２５】
以下、本発明の好適な実施の形態について、図面を参照しつつ説明する。図１は、本発明の実施の形態に係るフィルムスキャナを備えた写真処理装置の概略構成を示す図である。
【００２６】
図１に示すように、写真処理装置１は、現像済みの写真フィルム６５に記録されているコマ画像を光学的に読み取ってデジタル画像信号を出力するフィルムスキャナ１０と、写真処理装置１全体を制御する制御装置４０と、フィルムスキャナ１０から出力された画像信号に基づいて印画紙に画像を形成するプリント装置５０とを有している。そして、制御装置４０には、写真処理装置１に関する様々な情報を表示してオペレータに告知するディスプレイ６１と、オペレータが写真処理装置１に対して指示を与えるキーボード６２やマウス６３等の入力デバイスとが接続されている。
【００２７】
フィルムスキャナ１０は、ハロゲンランプ１１と、ハロゲンランプ１１から出射した光の色バランスを調整するための調光フィルタ１２と、調光フィルタ１２を通過した光を均等に混色するミラートンネル１３と、写真フィルム６５の各コマ画像とハロゲンランプ１１とを順次対向させるフィルム搬送機構１４と、写真フィルム６５のコマ画像を光電変換するためのＣＣＤラインセンサユニット１５と、写真フィルム６５を透過した光をＣＣＤラインセンサユニット１５上に結像させるためのレンズ１６と、光路を９０度屈曲させるためのミラー１７と、ＣＣＤラインセンサユニット１５のアナログ出力信号を増幅させるための増幅器１８と、増幅器１８で増幅されたアナログ信号をデジタル信号に変換するためのＡ／Ｄ変換器１９と、Ａ／Ｄ変換器１９によってデジタル信号に変換された信号を処理するための出力信号処理部２０とを有している。
【００２８】
ＣＣＤラインセンサユニット１５は、３列に並べられたＲ（レッド）、Ｇ（グリーン）、Ｂ（ブルー）の３色にそれぞれ対応する３つのＣＣＤラインセンサ７０を有している。ここで、図２を参照しつつ、ＣＣＤラインセンサ７０の構成について説明する。図２は、ＣＣＤラインセンサ７０の概略構成を示す図である。
【００２９】
図２に示すように、ＣＣＤラインセンサ７０は、写真フィルム６５の幅方向に約５０００個配列された、受光量に応じた量の電荷を発生させるフォトダイオード等の受光素子７１と、受光素子７１で発生した電荷を受光素子７１の配列方向と平行に転送する転送レジスタ７２と、転送レジスタ７２から転送された電荷量に応じた信号レベルを有する出力信号を出力する出力部７４とを有している。
【００３０】
そして、一列に配列された受光素子７１の受光面において、Ｒに対応するセンサには赤色、Ｇに対応するセンサには緑色、Ｂに対応するセンサには青色のカラーフィルタがそれぞれ形成されている（図示せず）。なお、複数の受光素子７１には、図示しないアルミ等の金属からなる遮光膜で覆われた黒画素と、プリント装置５０における画像形成に用いられない無効画素と、プリント装置５０における画像形成に用いられる有効画素とがある。このような構成により、Ｒ，Ｇ、Ｂにそれぞれ対応する３つのＣＣＤラインセンサ７０によって、写真フィルム６５のコマ画像を色分解して検出することができる。
【００３１】
次に、図３を参照しつつ、出力信号処理部２０について説明する。図３は、出力信号処理部２０のブロック図である。図３に示すように、出力信号処理部２０は、ゲート信号生成部２１と、駆動パルス信号生成部２２と、有効画素メモリ２３と、レジスタメモリ２４と、調整値記憶部２５と、調整値変更部２６と、補正値導出部２７と、補正部２８と、監視部２９と、黒レベル平坦化処理部３０と、シェーディング処理部３１とを有している。
【００３２】
ゲート信号生成部２１は、複数の受光素子７１で発生した電荷を各受光素子７１から転送レジスタ７２にシフトさせるためのシフトパルスを含むゲート信号ΦＴＧ（図４参照）を生成する。
【００３３】
駆動パルス信号生成部２２は、シフトパルスによって受光素子７１から転送レジスタ７２にシフトさせられた電荷が、転送レジスタ７２において出力部７４に向けて転送されると共に、シフトパルスによって受光素子７１から転送レジスタ７２にシフトさせられた電荷がすべて出力部７４に達してから次のシフトパルスによって受光素子７１から転送レジスタ７２に電荷がシフトさせられるまでの期間Ａに転送レジスタ７２において電荷が出力部７４に向けて転送されるように、転送レジスタ７２に印加される互いに逆位相である２つの駆動パルス信号Φ１、Φ２と、駆動パルス信号Φ１と同位相である駆動パルス信号Φ１Ｌとを生成する（図４参照）。
【００３４】
ここで、ＣＣＤラインセンサ７０に係る信号のタイミングチャートである図４を参照しつつ、ＣＣＤラインセンサ７０の出力部７４から出力される出力信号について説明する。まず、時刻ｔ０〜ｔ１において、ゲート信号ΦＴＧのシフトパルスによって、複数の受光素子７１で発生した電荷が各受光素子７１から転送レジスタ７２にシフトさせられる。その後、時刻ｔ１〜ｔ８において、転送レジスタ７２に駆動パルス信号Φ１、Φ２、Φ１Ｌが印加され、転送レジスタ７２において、受光素子７１から転送レジスタ７２にシフトさせられた電荷が出力部７４に向けて転送される。このとき、出力部７４から出力信号が出力される。なお、本実施の形態においては、出力部７４から信号を出力している間、ハロゲンランプ１１が写真フィルム６５に光を照射しているとする。
【００３５】
出力部７４から出力された出力信号のうち、時刻ｔ２〜ｔ６において出力された信号は、シフトパルスによって受光素子７１から転送レジスタ７２にシフトさせられた電荷に対応した部分（以降、「画素部分」と称する）である。詳細には、時刻ｔ２〜ｔ３において出力された信号が黒画素に係る部分であり、時刻ｔ３〜ｔ４、及び時刻ｔ５〜ｔ６において出力された信号が無効画素に係る部分であり、時刻ｔ４〜ｔ５において出力された信号が有効画素に係る部分（以降、「有効部分」と称する）である。
【００３６】
一方、時刻ｔ１〜ｔ２、及び時刻ｔ６〜ｔ８において出力された信号は、画素部分以外の部分（以降、「非画素部分」と称する）である。ここで、転送レジスタ７２において、シフトパルスによって受光素子７１から一度にシフトさせられた電荷を全て出力部７４から出力するためには、所定回数の空転送（以降、「必要空転送」と称する）が必要である。時刻ｔ１〜ｔ２、及び時刻ｔ６〜ｔ７において出力された信号は、この必要空転送に係る部分である。さらに、本実施の形態では、転送レジスタ７２において、シフトパルスによって受光素子７１から一度にシフトさせられた電荷を全て出力部７４から出力するため必要な転送が終了した後、追加の空転送（以降、「追加空転送」と称する）が行われる。時刻ｔ７〜ｔ８において出力された信号は、この追加空転送に係る部分である。
【００３７】
本実施の形態では、後述するように、非画素部分のうち、画素部分に後続する期間Ａに対応する部分の信号レベルの平均値Ａｖｅ＿Ｒｄを用いて補正値Ｓｄを導出する。したがって、転送レジスタ７２における追加空転送の回数を増やすことによって補正値Ｓｄの安定化を図ることができる。また、転送レジスタ７２における転送回数が増えると、スミアの絶対値は減少する。したがって、追加空転送の回数を増やすことによって、出力画像の分解能を向上させることができる。
【００３８】
上述のようにして、ＣＣＤラインセンサ７０では、時刻ｔ０〜ｔ８において、１ライン分の処理が行われる。そして、ＣＣＤラインセンサ７０は、このような処理を複数回繰り返し、写真フィルム６５のコマ画像を１ラインずつ読み取る。
【００３９】
図３に戻って、有効画素メモリ２３は、ＣＣＤラインセンサ７０の出力部７４から出力された出力信号のうち、有効部分の信号レベルＰｄを記憶する。レジスタメモリ２４は、ＣＣＤラインセンサ７０の出力部７４から出力された出力信号における非画素部分のうち、画素部分に後続する部分、すなわち期間Ａ（図４参照）に対応する部分の信号レベルＲｄを記憶する。
【００４０】
調整値記憶部２５は、ＣＣＤラインセンサ７０の出力部７４から出力される出力信号を調整するための調整値を記憶する。調整値変更部２６は、出力部７４から出力される出力信号のうち非画素部分の信号レベルが黒基準である規定値Ｒｅｆ＿Ｂｋとなるように、調整値記憶部２５に記憶された調整値を書き換える。
【００４１】
補正値導出部２７は、ＣＣＤラインセンサ７０の出力部７４から出力される出力信号のうち期間Ａに対応するの信号レベルＲｄに基づいて、有効部分の信号レベルＰｄに含まれるスミア等のノイズ成分を低減させるための補正値Ｓｄを導出する。そして、補正値導出部２７は、第１の平均値導出部２７ａと、第２の平均値導出部２７ｂと、基準値減算部２７ｃとを有している。
【００４２】
第１の平均値導出部２７ａは、期間Ａ内における信号レベルの平均値Ａｖｅ０＿Ｒｄを導出する。第２の平均値導出部２７ｂは、第１の平均値導出部２７ａによって導出された、期間Ａ内における信号レベルの平均値Ａｖｅ０＿Ｒｄと、直前に行われた１ライン分の処理において、画素部分に後続する部分である期間Ａ’内における信号レベルの平均値Ａｖｅ０＿Ｒｄ’との平均値Ａｖｅ＿Ｒｄを導出する。基準値減算部２７ｃは、第２の平均値導出部２７ｂによって導出された平均値Ａｖｅ＿Ｒｄから、オフセットレベルである基準値Ｒｅｆ＿Ｒｄを減算することによって補正値Ｓｄ（＝Ａｖｅ＿Ｒｄ−Ｒｅｆ＿Ｒｄ）を導出する。
【００４３】
補正部２８は、ＣＣＤラインセンサ７０の出力部７４から出力される出力信号のうち有効部分の信号レベルＰｄから、補正値導出部２７によって導出された補正値Ｓｄを減算する。
【００４４】
監視部２９は、ＣＣＤラインセンサ７０の出力部７４から出力される出力信号のうち期間Ａの信号レベルＲｄが所定範囲にあるか否かを監視する。所定範囲とは、黒基準である規定値Ｒｅｆ＿Ｂｋに基づいて決まる許容範囲である。そして、本実施の形態においては、期間Ａの信号レベルＲｄが所定範囲を超えた場合には、その旨をオペレータに伝える警告メッセージがディスプレイ６１に表示される。なお、期間Ａの信号レベルＲｄが所定範囲を超えた場合に、調整値変更部２６によって、非画素部分の信号レベルが規定値Ｒｅｆ＿Ｂｋとなるように、調整値記憶部２５に記憶されている出力信号の調整値が自動的に書き換えられるようにしてもよい。
【００４５】
黒レベル平坦化処理部３０では、補正部２８において補正された信号から、受光素子７１における暗電流を除去する黒レベル平坦化処理が行われる。暗電流とは、光を受光していない暗状態であっても、受光素子７１に電荷が蓄積されるために生じるノイズである。暗電流の大きさは、受光素子７１毎に異なるために、出力画像の副走査方向に生じるスジムラの原因となる。シェーディング処理部３１では、黒レベル平坦化処理部３０において処理された信号に対して、受光素子７１の配列方向である主走査方向におけるハロゲンランプ１１の照度バラツキや、光量の経時変化を補正するシェーディング処理が行われる。
【００４６】
上述のような構成により、フィルムスキャナ１０では、フィルム搬送機構１４に写真フィルム６５がセットされると、搬送ローラ対１４ａにより搬送される写真フィルム６５上のコマ画像が順次読み取られた赤色、緑色、青色毎のデジタル画像信号が、出力信号処理部２０において処理された後、制御装置３０に対して送信される。
【００４７】
次に、図４及び図５を参照しつつ、フィルムスキャナ１０で行われる１ライン分の処理の手順について説明する。図５は、フィルムスキャナ１０で行われる１ライン分の処理の手順を示すフローチャートである。
【００４８】
まず、調整値変更部２６により、ＣＣＤラインセンサ７０から出力される非画素部分に対応する信号レベルが規定値Ｒｅｆ＿Ｂｋとなるように、調整値記憶部２５に記憶されている調整値を書き換えることによって、黒レベルの調整を行う（ステップＳ１０１）。次に、一列に配列された複数の受光素子７１が、ハロゲンランプ１１から出射され、写真フィルム６５と透過した光を受光する（ステップＳ１０２：ｔ＜ｔ０）。このとき、受光素子７１では、受光量に応じた量の電荷が発生し、そこに蓄積される。その後、ゲート信号生成部２１によって生成されたゲート信号ΦＴＧのシフトパルスによって、各受光素子７１で発生した電荷が転送レジスタ７２にシフトさせられる（ステップＳ１０３：ｔ０＜ｔ＜ｔ１）。
【００４９】
そして、駆動パルス信号生成部２２によって生成された駆動パルス信号Φ１、Φ２、Φ１Ｌが転送レジスタ７１に印加され、転送レジスタ７２において、１パルス分だけ電荷が出力部７４に向けて転送される（ステップＳ１０４）。このとき、出力部７４から１パルス分の信号が出力され、出力部７４から出力された信号が、有効部分に対応する信号であるかどうかが判断される（ステップＳ１０５）。有効部分に対応する信号であると判断された場合には（ステップＳ１０５：ＹＥＳ：ｔ４＜ｔ＜ｔ５）、出力部７４から出力された信号レベルＰｄが有効画素メモリ２３に記憶される（ステップＳ１０６）。その後、後述するステップＳ１０７〜Ｓ１１０を省略してステップＳ１１１に進む。
【００５０】
一方、出力部７４から出力された信号が、有効部分に対応する信号でないと判断された場合には（ステップＳ１０５：ＮＯ）、非画素部分の画素部分に後続する期間Ａに対応する信号であるかどうかが判断される（ステップＳ１０７）。期間Ａに対応する信号でないと判断された場合には（ステップＳ１０７：ＮＯ）、後述するステップＳ１０８〜Ｓ１１０を省略してステップＳ１１１に進む。
【００５１】
また、期間Ａに対応する信号であると判断された場合には（ステップＳ１０７：ＹＥＳ：ｔ６＜ｔ＜ｔ８）、出力部７４から出力された信号レベルＲｄがレジスタメモリ２４に記憶される（ステップＳ１０８）。さらに、監視部２９によって、期間Ａの信号レベルＲｄが所定範囲にあるか否かが判断される（ステップＳ１０９）。期間Ａの信号レベルＲｄが所定範囲にあると判断された場合には（ステップＳ１０９：ＹＥＳ）、後述するステップＳ１１０を省略してステップＳ１１１に進む。一方、期間Ａの信号レベルＲｄが所定範囲にないと判断された場合には（ステップＳ１０９：ＮＯ）、その旨をオペレータに伝える警告メッセージがディスプレイ６１に表示される（ステップＳ１１０）。このとき、オペレータは、必要に応じて、再度ステップＳ１０１における黒レベルの調整が行われるように操作する。
【００５２】
その後、転送レジスタ７２における、駆動パルス信号Φ１、Φ２、Φ１Ｌによる電荷の転送が終了したがどうかが判断される（ステップＳ１１１）。転送レジスタ７２における電荷の転送が終了していないと判断された場合には（ステップＳ１１１：ＮＯ：ｔ１＜ｔ＜ｔ８）、ステップＳ１０４に戻り、再び転送レジスタ７２において、１パルス分だけ電荷が出力部７４に向けて転送され、出力部７４から１パルス分の信号が出力される。一方、転送レジスタ７２における電荷の転送が終了したと判断された場合には（ステップＳ１１１：ＹＥＳ：ｔ＝ｔ８）、第１の平均値導出部２７ａによって、レジスタメモリ２４に記憶されている期間Ａの信号レベルＲｄの平均値Ａｖｅ０＿Ｒｄが導出される（ステップＳ１１２）。
【００５３】
そして、第２の平均値導出部２７ｂが、第１の平均値導出部２７ａによって導出された期間Ａの信号レベルの平均値Ａｖｅ０＿Ｒｄと、直前の１ライン分の出力信号のうち期間Ａ’に対応する部分の信号レベルの平均値Ａｖｅ０＿Ｒｄ’との平均値Ａｖｅ＿Ｒｄを導出する。さらに、基準値減算部２７ｃが、第２の平均値導出部２７ｂによって導出された平均値Ａｖｅ＿Ｒｄから、基準値Ｒｅｆ＿Ｒｄを減算することによって補正値Ｓｄを導出する（ステップＳ１１３）。
【００５４】
その後、補正部２８によって、有効画素メモリ２３に記憶されている有効部分の信号レベルＰｄから、ステップＳ１１３において導出された補正値Ｓｄを減算する（ステップＳ１１４）。そして、黒レベル平坦化処理部３０が、ステップＳ１１４において補正された信号に対して黒レベル平坦化処理を施す（ステップＳ１１５）。さらに、シェーディング処理部３１が、ステップＳ１１５において処理された信号に対してシェーディング処理を施す（ステップＳ１１６）。
【００５５】
なお、本実施の形態においてステップＳ１１５で行われる黒レベル平坦化処理は、ステップＳ１１４における補正が施される前に行われてもよい。
【００５６】
以上のように、本実施の形態のフィルムスキャナ１０では、補正値導出部２７によって、転送レジスタ７２の出力部７４から出力される信号のうち、画素部分に後続する非画素部分である期間Ａに対応する信号レベルＲｄに基づいて補正値Ｓｄが導出される。このようにして導出された補正値Ｓｄは、温度変動や赤外光入射に起因した黒画素に特有のノイズとは無関係である。したがって、補正部２８により、かかる補正値Ｓｄを用いて有効部分の信号レベルＰｄを補正することによって、スミアを十分に低減することが可能となる。また、補正値Ｓｄは、転送レジスタ７２における暗電流や回路系ドリフトなどのスミア以外のノイズ成分を組み入れたものとなっている。その結果、補正部２８により、かかる補正値Ｓｄを用いて有効部分の信号レベルＰｄを補正することによって、スミア以外のノイズ成分をも十分に低減することが可能となる。
【００５７】
また、本実施の形態のフィルムスキャナ１０では、調整値変更部２６は、出力部７４から出力される出力信号のうち非画素部分の信号レベルが黒基準である規定値Ｒｅｆ＿Ｂｋとなるように、調整値記憶部２５に記憶された調整値を書き換える。したがって、受光素子７１における暗電流の影響をなくすことができる。
【００５８】
さらに、本実施の形態のフィルムスキャナ１０では、基準値減算部２７ｃが、第２の平均値導出部２７ｂによって導出された平均値Ａｖｅ＿Ｒｄから、オフセットレベルである基準値Ｒｅｆ＿Ｒｄを減算することによって補正値Ｓｄ（＝Ａｖｅ＿Ｒｄ−Ｒｅｆ＿Ｒｄ）を導出する。したがって、温度変化や経時変化におけるオフセットレベルの変動も補正することができる。
【００５９】
加えて、本実施の形態のフィルムスキャナ１０では、第１の平均値導出部２７ａが、出力部７４から出力される出力信号のうち、期間Ａ内における信号レベルＲｄの平均値Ａｖｅ０＿Ｒｄを導出する。さらに、第２の平均値導出部２７ｂが、第１の平均値導出部２７ａによって導出された、期間Ａ内における信号レベルの平均値Ａｖｅ０＿Ｒｄと、直前に行われた１ライン分の処理において、画素部分に後続する部分である期間Ａ’内における信号レベルの平均値Ａｖｅ０＿Ｒｄ’との平均値Ａｖｅ＿Ｒｄを導出する。したがって、補正値Ｓｄの精度が向上する。
【００６０】
また、本実施の形態のフィルムスキャナ１０では、監視部２９が、非画素部分の画素部分に後続する期間Ａの信号レベルＲｄが所定範囲にあるか否かを監視する。したがって、ハロゲンランプ１１の消灯や遮光部材の配置などによって受光素子７１が受光しないようにしなくとも、黒レベルを監視することができる。
【００６１】
次に、本発明の第２の実施の形態について説明する。本発明の第２の実施の形態に係るフィルムスキャナ１１０を備えた写真処理装置が、第１の実施の形態の写真処理装置１と主に異なる点は、第１の実施の形態のフィルムスキャナ１０の出力信号処理部２０では、出力部７４から出力される出力信号のうち、非画素部分である画素部分に後続する期間Ａの信号レベルＲｄに基づいて補正値Ｓｄを導出するが、第２の実施の形態のフィルムスキャナ１１０の出力信号処理部１２０では、出力部１７４から出力される出力信号のうち、後述する遮光部分の信号レベルＲｄに基づいて補正値Ｓｄを導出する点である。なお、第２の実施の形態の写真処理装置のその他の構成は、第１の実施の形態とほぼ同様であるので、詳細な説明は省略する。
【００６２】
図６は、第２の実施の形態のフィルムスキャナ１１０の概略構成を示す図である。なお、図６においては、フィルムスキャナ１１０に備えられている調光フィルタと、ミラートンネルと、フィルム搬送機構と、ミラーと、増幅器と、Ａ／Ｄ変換器と、出力信号処理部１２０との記載は省略されている。また、本来ミラーによって９０度屈曲される光路を屈折させずに描いている。図６に示すように、本実施の形態のフィルムスキャナ１１０では、ハロゲンランプ１１１と写真フィルム１６５との間において、ハロゲンランプ１１１から出射された光の一部を遮るように遮光部材１３５が配置されている。したがって、一方向に複数個配列された受光素子１７１のうち、図６に示す領域Ｚに位置する受光素子１７１には、ハロゲンランプ１１１から出射された光が照射されない。
【００６３】
次に、図７を参照しつつ、本実施の形態の出力信号処理部１２０について説明する。図７は、出力信号処理部１２０のブロック図である。図７に示すように、出力信号処理部１２０は、ゲート信号生成部１２１と、駆動パルス信号生成部１２２と、照射画素メモリ１２３と、遮光画素メモリ１２４と、調整値記憶部１２５と、調整値変更部１２６と、補正値導出部１２７と、補正部１２８と、監視部１２９と、黒レベル平坦化処理部１３０と、シェーディング処理部１３１とを有している。
【００６４】
ここで、本実施の形態のゲート信号生成部１２１、調整値記憶部１２５、黒レベル平坦化処理部１３０、シェーディング処理部１３１の機能は、第１の実施の形態のゲート信号生成部２１、調整値記憶部２５、黒レベル平坦化処理部３０、シェーディング処理部３１の機能とそれぞれ同様であるので、説明を省略する。
【００６５】
駆動パルス信号生成部１２２は、ゲート信号ΦＴＧのシフトパルスによって受光素子１７１から転送レジスタ１７２にシフトさせられた電荷が、転送レジスタ１７２において出力部１７４に向けて転送され、全て出力部１７４から出力されるように、転送レジスタ７２に印加される互いに逆位相である２つの駆動パルス信号Φ１、Φ２と、駆動パルス信号Φ１と同位相である駆動パルス信号Φ１Ｌとを生成する。
【００６６】
ここで、ＣＣＤラインセンサ１７０に係る信号のタイミングチャートである図８を参照しつつ、ＣＣＤラインセンサ１７０の出力部１７４から出力される出力信号について説明する。まず、時刻ｔ０〜ｔ１において、ゲート信号ΦＴＧのシフトパルスによって、複数の受光素子１７１で発生した電荷が転送レジスタ１７２にシフトさせられる。その後、時刻ｔ１〜ｔ８において、転送レジスタ１７２に駆動パルス信号Φ１、Φ２、Φ１Ｌが印加され、転送レジスタ１７２において、受光素子１７１からシフトさせられた電荷が出力部１７４に向けて転送される。このとき、出力部１７４から出力信号が出力される。なお、本実施の形態では、出力部１７４から信号を出力している間、ハロゲンランプ１１１が写真フィルム１６５に光を照射しているとする。
【００６７】
出力部１７４から出力された出力信号のうち、時刻ｔ２〜ｔ７において出力された信号は、画素部分である。詳細には、時刻ｔ２〜ｔ３において出力された信号が黒画素に係る部分であり、時刻ｔ３〜ｔ４、及び時刻ｔ６〜ｔ７において出力された信号が無効画素に係る部分であり、時刻ｔ４〜ｔ５において出力された信号が有効画素のうちハロゲンランプ１１１から出射された光が照射される照射画素に係る部分（以降、「照射部分」と称する）であり、時刻ｔ５〜ｔ６において出力された信号が有効画素のうちハロゲンランプ１１１から出射された光が照射されない遮光画素に係る部分（以降、「遮光部分」と称する）である。一方、時刻ｔ１〜ｔ２、及び時刻ｔ７〜ｔ８において出力された信号は、必要空転送に係る非画素部分である。
【００６８】
図７に戻って、照射画素メモリ１２３は、出力部１７４から出力された出力信号のうち、有効部分の信号レベルＰｄを記憶する。遮光画素メモリ１２４は、出力部１７４から出力された出力信号のうち、遮光部分の信号レベルＲｄを記憶する。
【００６９】
調整値変更部１２６は、出力部１７４から出力される出力信号のうち遮光部分の信号レベルＲｄが黒基準である規定値Ｒｅｆ＿Ｂｋとなるように、調整値記憶部１２５に記憶された調整値を書き換える。
【００７０】
補正値導出部１２７は、出力部１７４から出力される出力信号のうち遮光部分の信号レベルＲｄに基づいて、有効部分の信号レベルＰｄに含まれるスミア等のノイズ成分を低減させるための補正値Ｓｄを導出する。そして、補正値導出部１２７は、第１の平均値導出部１２７ａと、第２の平均値導出部１２７ｂと、基準値減算部１２７ｃとを有している。
【００７１】
第１の平均値導出部１２７ａは、遮光部分における信号レベルの平均値Ａｖｅ０＿Ｒｄを導出する。第２の平均値導出部２７ｂは、第１の平均値導出部２７ａによって導出された、遮光部分における信号レベルの平均値Ａｖｅ０＿Ｒｄと、直前に行われた１ライン分の処理での遮光部分における信号レベルの平均値Ａｖｅ０＿Ｒｄ’との平均値Ａｖｅ＿Ｒｄを導出する。基準値減算部１２７ｃは、第２の平均値導出部１２７ｂによって導出された平均値Ａｖｅ＿Ｒｄから、オフセットレベルである基準値Ｒｅｆ＿Ｒｄを減算することによって補正値Ｓｄ（＝Ａｖｅ＿Ｒｄ−Ｒｅｆ＿Ｒｄ）を導出する。
【００７２】
補正部１２８は、ＣＣＤラインセンサ１７０の出力部１７４から出力される出力信号のうち有効部分の信号レベルＰｄから、補正値導出部１２７によって導出された補正値Ｓｄを減算する。
【００７３】
監視部１２９は、出力部１７４から出力される出力信号のうち遮光部分に係る信号レベルＲｄが、黒基準である規定値Ｒｅｆ＿Ｂｋに基づいて決まる所定範囲にあるか否かを監視する。そして、本実施の形態においては、遮光部分に係る信号レベルＲｄが所定範囲を超えた場合には、その旨をオペレータに伝える警告メッセージがディスプレイに表示される。なお、遮光部分に係る信号レベルＲｄが所定範囲を超えた場合に、調整値変更部１２６によって、遮光部分の信号レベルが規定値Ｒｅｆ＿Ｂｋとなるように、調整値記憶部１２５に記憶されている出力信号の調整値が自動的に書き換えられるようにしてもよい。
【００７４】
次に、図８及び図９を参照しつつ、フィルムスキャナ１１０で行われる１ライン分の処理の手順について説明する。図９は、フィルムスキャナ１１０で行われる１ライン分の処理の手順を示すフローチャートである。
【００７５】
まず、調整値変更部１２６により、ＣＣＤラインセンサ１７０から出力される遮光部分に対応する信号レベルが規定値Ｒｅｆ＿Ｂｋとなるように、調整値記憶部１２５に記憶されている調整値を書き換えることによって、黒レベルの調整を行う（ステップＳ２０１）。次に、一列に配列された複数の受光素子１７１が、ハロゲンランプ１１１から出射され、写真フィルム１６５と透過した光を受光する（ステップＳ２０２：ｔ＜ｔ０）。このとき、照射画素に対応する受光素子１７１では、受光量に応じた量の電荷が発生し、そこに蓄積される。その後、ゲート信号生成部１２１によって生成されたゲート信号ΦＴＧのシフトパルスによって、各受光素子１７１で発生した電荷が転送レジスタ１７２にシフトさせられる（ステップＳ２０３：ｔ０＜ｔ＜ｔ１）。
【００７６】
そして、駆動パルス信号生成部１２２によって生成された駆動パルス信号Φ１、Φ２、Φ１Ｌが転送レジスタ１７２に印加され、転送レジスタ１７２において、１パルス分だけ電荷が出力部１７４に向けて転送される（ステップＳ２０４）。このとき、出力部１７４から１パルス分の信号が出力され、出力部１７４から出力された信号が、照射部分に対応する信号であるかどうかが判断される（ステップＳ２０５）。照射部分に対応する信号であると判断された場合には（ステップＳ２０５：ＹＥＳ：ｔ４＜ｔ＜ｔ５）、出力部１７４から出力された信号レベルＰｄが照射画素メモリ１２３に記憶される（ステップＳ２０６）。その後、後述するステップＳ２０７〜Ｓ２１０を省略してステップＳ２１１に進む。
【００７７】
一方、出力部１７４から出力された信号が、照射部分に対応する信号でないと判断された場合には（ステップＳ２０５：ＮＯ）、遮光部分に対応する信号であるかどうかが判断される（ステップＳ２０７）。遮光部分に対応する信号でないと判断された場合には（ステップＳ２０７：ＮＯ）、後述するステップＳ２０８〜Ｓ２１０を省略してステップＳ２１１に進む。
【００７８】
また、遮光部分に対応する信号であると判断された場合には（ステップＳ２０７：ＹＥＳ：ｔ５＜ｔ＜ｔ６）、出力部１７４から出力された信号レベルＲｄが遮光画素メモリ１２４に記憶される（ステップＳ２０８）。さらに、監視部１２９によって、遮光部分の信号レベルＲｄが所定範囲にあるか否かが判断される（ステップＳ２０９）。遮光部分の信号レベルＲｄが所定範囲にあると判断された場合には（ステップＳ２０９：ＹＥＳ）、後述するステップＳ２１０を省略してステップＳ２１１に進む。一方、遮光部分の信号レベルＲｄが所定範囲にないと判断された場合には（ステップＳ２０９：ＮＯ）、その旨をオペレータに伝える警告メッセージがディスプレイに表示される（ステップＳ２１０）。このとき、オペレータは、必要に応じて、再度ステップＳ２０１における黒レベルの調整が行われるように操作する。
【００７９】
その後、転送レジスタ１７２における、駆動パルス信号Φ１、Φ２、Φ１Ｌによる電荷の転送が終了したがどうかが判断される（ステップＳ２１１）。転送レジスタ１７２における電荷の転送が終了していないと判断された場合には（ステップＳ２１１：ＮＯ：ｔ１＜ｔ＜ｔ８）、ステップＳ２０４に戻り、再び転送レジスタ１７２において、１パルス分だけ電荷が出力部１７４に向けて転送され、出力部１７４から１パルス分の信号が出力される。一方、転送レジスタ１７２における電荷の転送が終了したと判断された場合には（ステップＳ２１１：ＹＥＳ：ｔ＝ｔ８）、第１の平均値導出部１２７ａによって、遮光画素メモリ１２４に記憶されている遮光画素の信号レベルＲｄの平均値Ａｖｅ０＿Ｒｄが導出される（ステップＳ２１２）。
【００８０】
そして、第２の平均値導出部１２７ｂが、第１の平均値導出部１２７ａによって導出された遮光部分の信号レベルの平均値Ａｖｅ０＿Ｒｄと、直前の１ライン分の出力信号のうち遮光部分に対応する部分の信号レベルの平均値Ａｖｅ０＿Ｒｄ’との平均値Ａｖｅ＿Ｒｄを導出する。さらに、基準値減算部１２７ｃが、第２の平均値導出部１２７ｂによって導出された平均値Ａｖｅ＿Ｒｄから、基準値Ｒｅｆ＿Ｒｄを減算することによって補正値Ｓｄを導出する（ステップＳ２１３）。
【００８１】
その後、補正部１２８によって、照射画素メモリ１２３に記憶されている照射部分の信号レベルＰｄから、ステップＳ２１３において導出された補正値Ｓｄを減算する（ステップＳ２１４）。そして、黒レベル平坦化処理部１３０が、ステップＳ２１４において補正された信号に対して黒レベル平坦化処理を施す（ステップＳ２１５）。さらに、シェーディング処理部１３１が、ステップＳ２１５において処理された信号に対してシェーディング処理を施す（ステップＳ２１６）。
【００８２】
なお、本実施の形態においてステップＳ２１５で行われる黒レベル平坦化処理は、ステップＳ２１４における補正が施される前に行われてもよい。
【００８３】
以上のように、第２の実施の形態のフィルムスキャナ１１０では、第１の実施の形態のフィルムスキャナ１０と同様に、スミアを十分に低減することが可能である。
【００８４】
また、第２の実施の形態のフィルムスキャナ１１０では、補正値導出部１２７が、出力部１７４からの出力信号のうち、ハロゲンランプ１１１とレンズ１１６との間に配置された遮光部材１３５によって遮光された遮光画素に対応する遮光部分の信号レベルＲｄに基づいて、補正値Ｓｄを導出する。したがって、レンズフレアの影響をなくすことができる。
【００８５】
以上、本発明の好適な実施の形態について説明したが、本発明は上述の実施の形態に限られるものではなく、特許請求の範囲に記載した限りにおいて、様々な設計変更を行うことが可能なものである。
【００８６】
例えば、第１の実施の形態に係る一変形例を図１０に示す。図１０は、本変形例に係るＣＣＤラインセンサ２７０の概略構成を示す図である。本変形例に係るＣＣＤラインセンサ２７０は、図１０に示すように、一方向に配列された複数の受光素子２７１と、受光素子２７１で発生した電荷を受光素子２７１の配列方向と平行に転送する第１及び第２の転送レジスタ２７２、２７３と、第１及び第２の転送レジスタ２７２、２７３から転送された電荷量に応じた信号レベルを有する出力信号を出力する第１及び第２の出力部２７４、２７５とを有している。
【００８７】
詳細には、一列に配列された複数の受光素子２７１のうち奇数番目に配列された受光素子２７１で発生した電荷が、シフトパルスによって第１の転送レジスタ２７２にシフトされ、第１の出力部２７４に向かって転送される。偶数番目に配列された受光素子２７１で発生した電荷は、シフトパルスによって第２の転送レジスタ２７３にシフトされ、第２の出力部２７５に向かって転送される。
【００８８】
そして、本変形例では、補正値導出部が、第１及び第２の転送レジスタ２７２、２７３のそれぞれについて補正値Ｓ１、Ｓ２を導出し、補正部が、第１及び第２の出力部２７４、２７５からの出力信号の有効部分に対応する信号レベルＰｄ１、Ｐｄ２から、対応する補正値を減算する。したがって、２つの転送レジスタ２７２、２７３から同じ出力信号が得られるようになる。なお、ＣＣＤラインセンサ２７０には、３つ以上の転送レジスタが配置されていてもよい。
【００８９】
また、上述の第１の実施の形態では、補正値導出部２７が、非画素部分のうち画素部分に後続する期間Ａの信号レベルＲｄに基づいて補正値Ｓｄを導出する場合について説明したが、これには限らず、非画素部分のうち画素部分に先行する部分の信号レベルを補正値Ｓｄの導出に用いてもよい。
【００９０】
さらに、上述の第１及び第２の実施の形態では、調整値記憶部と、調整値変更部とを有しており、調整値変更部が、出力部から出力される出力信号のうち非画素部分（第２の実施の形態においては遮光部分）の信号レベルが黒基準である規定値Ｒｅｆ＿Ｂｋとなるように、調整値記憶部に記憶された調整値を書き換える場合について説明したがこれには限られない。調整値記憶部及び調整値変更部はなくてもよい。
【００９１】
加えて、上述の第１及び第２の実施の形態では、補正値導出部が、第１の平均値導出部と、第２の平均値導出部と、基準値減算部とを有しており、基準値減算部が、第２の平均値導出部によって導出された平均値Ａｖｅ＿Ｒｄから、オフセットレベルである基準値Ｒｅｆ＿Ｒｄを減算することによって補正値Ｓｄ（＝Ａｖｅ＿Ｒｄ−Ｒｅｆ＿Ｒｄ）を導出する基準値減算部を備えている場合について説明したが、これには限られない。基準値減算部を備えておらず、第２の平均値導出部によって導出された平均値Ａｖｅ＿Ｒｄを補正値としてもよい。
【００９２】
また、第１の平均値導出部によって導出された、期間Ａ内（第２の実施の形態においては遮光部分）における信号レベルの平均値Ａｖｅ０＿Ｒｄと、直前に行われた１ライン分の処理において、画素部分に後続する部分である期間Ａ’内（第２の実施の形態においては遮光部分）における信号レベルの平均値Ａｖｅ０＿Ｒｄ’との平均値Ａｖｅ＿Ｒｄを導出する第２の平均値導出部を備えておらず、期間Ａ内（第２の実施の形態においては遮光部分）における信号レベルの平均値Ａｖｅ０＿Ｒｄのみに基づいて補正値を導出するようにしてもよい。さらに、第１の平均値導出部を備えておらず、期間Ａ内（第２の実施の形態においては遮光部分）における１つの信号レベルのみに基づいて補正値を導出するようにしてもよい。
【００９３】
さらに、上述の第１及び第２の実施の形態では、監視部が、出力部から出力される出力信号のうち期間Ａ（第２の実施の形態においては遮光部分）の信号レベルＲｄが黒基準である規定値Ｒｅｆ＿Ｂｋに基づいて決まる所定範囲にあるか否かを監視する場合について説明したが、これには限られない。例えば、監視部が、ハロゲンランプの消灯等によって、受光していな状態の有効画素（第２の実施の形態においては照射画素）の信号レベルを監視するようにしてもよい。
【００９４】
加えて、上述の第２の実施の形態では、遮光部材１３５が、ハロゲンランプ１１１とレンズ１１６との間に配置される場合について説明したが、遮光部材１３５は、ＣＣＤラインセンサ１７０とは別体として形成されており、複数の受光素子１７１のうち有効画素となる少なくとも１つが写真フィルム１６５からの透過光を受光しないように配置されていればよい。
【００９５】
また、上述の第１及び第２の実施の形態では、写真フィルムに記録された画像を光学的に読み取るフィルムスキャナについて説明したが、これには限られない。本発明は、読取原稿に記録された画像を光学的に読み取る画像読取装置一般に適用可能である。
【図面の簡単な説明】
【００９６】
【図１】本発明の第１の実施の形態に係るフィルムスキャナを備えた写真処理装置の概略構成を示す図である。
【図２】図１のＣＣＤラインセンサユニットに備えられているＣＣＤラインセンサの概略構成を示す図である。
【図３】図１に示す出力処理部のブロック図である。
【図４】図２に示すＣＣＤラインセンサに係る信号のタイミングチャートである。
【図５】図１に示すフィルムスキャナで行われる１ライン分の処理の手順を示すフローチャートである。
【図６】本発明の第２の実施の形態に係るフィルムスキャナの概略構成を示す図である。
【図７】図６に示すフィルムスキャナに備えられる出力信号処理部のブロック図である。
【図８】図６に示すＣＣＤラインセンサに係る信号のタイミングチャートである。
【図９】図６のフィルムスキャナで行われる１ライン分の処理の手順を示すフローチャートである。
【図１０】第１の実施の形態に係る一変形例であり、ＣＣＤラインセンサの概略構成を示す図である。
【符号の説明】
【００９７】
１  写真処理装置
１０、１１０  フィルムスキャナ（画像読取装置）
１１、１１１  ハロゲンランプ（光源）
１５  ＣＣＤラインセンサユニット
１６、１１６  レンズ
２０、１２０  出力信号処理部
２１、１２１  ゲート信号生成部（ゲート信号生成手段）
２２、１２２  駆動パルス信号生成部（駆動パルス信号生成手段）
２５、１２５  調整値記憶部（調整値記憶手段）
２６、１２６  調整値変更部（調整値変更手段）
２７、１２７  補正値導出部（補正値導出手段）
２７ａ、１２７ａ  第１の平均値導出部（第１の平均値導出手段）
２７ｂ、１２７ｂ  第２の平均値導出部（第２の平均値導出手段）
２７ｃ、１２７ｃ  基準値減算部（基準値減算手段）
２８、１２８  補正部（補正手段）
２９、１２９  監視部（監視手段）
６５、１６５  写真フィルム（読取原稿）
７０、１７０、２７０  ＣＣＤラインセンサ（固体撮像素子）
７１、１７１  受光素子
７２、１７２、２７２、２７３  転送レジスタ
７４、１７４、２７４、２７５  出力部
１３５  遮光部材
【図１】
2006086577.tif 000003
【図２】
2006086577.tif 000004
【図３】
2006086577.tif 000005
【図４】
2006086577.tif 000006
【図５】
2006086577.tif 000007
【図６】
2006086577.tif 000008
【図７】
2006086577.tif 000009
【図８】
2006086577.tif 000010
【図９】
2006086577.tif 000011
【図１０】
2006086577.tif 000012